(57)【特許請求の範囲】
【請求項１】
物体側から像側に順に、
負屈折力の第１レンズ群、
負屈折力の第２レンズ群、
正屈折力の第３レンズ群、
負屈折力の第４レンズ群、
正屈折力の第５レンズ群、からなり、
広角端から望遠端への変倍の際に、
前記第１レンズ群が固定され、
前記第２レンズ群が移動し、
前記第３レンズ群と前記第４レンズ群が広角端よりも望遠端にて物体側に位置するように移動し、
前記第２レンズ群と前記第３レンズ群との間隔は広角端よりも望遠端にて狭まり、
前記第３レンズ群と前記第４レンズ群との間隔は広角端よりも望遠端にて広がり、
前記第４レンズ群と前記第５レンズ群との間隔は広角端よりも望遠端にて広がり、
遠距離物点から近距離物点へのフォーカシングの際に前記第２レンズ群が移動し、
以下の条件式（１）、（２−１）を満足する
ことを特徴とする全長が一定のズームレンズ。
０．５ ＜ （ｄ４５Ｔ−ｄ４５Ｗ）／ｆＷ ＜ ２．０   ・・・（１）
２．２ ≦ Δ３／ｆｗ ＜ ３．０                     ・・・（２−１）
ただし、
ｄ４５Ｗは、広角端における前記第４レンズ群と前記第５レンズ群の光軸上の間隔、
ｄ４５Ｔは、望遠端における前記第４レンズ群と前記第５レンズ群の光軸上の間隔、
ｆＷは、広角端におけるズームレンズ全系の焦点距離、
Δ３は、前記第３レンズ群の広角端での位置に対する望遠端での位置の差であり、物体側へ移動したときを正符号、
とする。
【請求項２】
物体側から像側に順に、
負屈折力の第１レンズ群、
負屈折力の第２レンズ群、
正屈折力の第３レンズ群、
負屈折力の第４レンズ群、
正屈折力の第５レンズ群、からなり、
広角端から望遠端への変倍の際に、
前記第１レンズ群が固定され、
前記第２レンズ群が移動し、
前記第３レンズ群と前記第４レンズ群が広角端よりも望遠端にて物体側に位置するように移動し、
前記第２レンズ群と前記第３レンズ群との間隔は広角端よりも望遠端にて狭まり、
前記第３レンズ群と前記第４レンズ群との間隔は広角端よりも望遠端にて広がり、
前記第４レンズ群と前記第５レンズ群との間隔は広角端よりも望遠端にて広がり、
遠距離物点から近距離物点へのフォーカシングの際に前記第２レンズ群が移動し、
前記第１レンズ群は、物体側から像側に順に、
像側へ凹面を向けた２枚の負メニスカスレンズと、物側へ凸面を向けた正メニスカスレンズとからなり、
前記２枚の負メニスカスレンズのうち少なくとも一方の負メニスカスレンズの像側面は非球面であり、且つ、この非球面は、光軸から離れるに従って、負の屈折力が徐々に弱くなる形状であり、
以下の条件式（１）を満足することを特徴とする全長が一定のズームレンズ。
０．５ ＜ （ｄ４５Ｔ−ｄ４５Ｗ）／ｆＷ ＜ ２．０   ・・・（１）
ただし、
ｄ４５Ｗは、広角端における前記第４レンズ群と前記第５レンズ群の光軸上の間隔、
ｄ４５Ｔは、望遠端における前記第４レンズ群と前記第５レンズ群の光軸上の間隔、
ｆＷは、広角端におけるズームレンズ全系の焦点距離、
である。
【請求項３】
物体側から像側に順に、
負屈折力の第１レンズ群、
負屈折力の第２レンズ群、
正屈折力の第３レンズ群、
負屈折力の第４レンズ群、
正屈折力の第５レンズ群、からなり、
広角端から望遠端への変倍の際に、
前記第１レンズ群が固定され、
前記第２レンズ群が移動し、
前記第３レンズ群と前記第４レンズ群が広角端よりも望遠端にて物体側に位置するように移動し、
前記第２レンズ群と前記第３レンズ群との間隔は広角端よりも望遠端にて狭まり、
前記第３レンズ群と前記第４レンズ群との間隔は広角端よりも望遠端にて広がり、
前記第４レンズ群と前記第５レンズ群との間隔は広角端よりも望遠端にて広がり、
遠距離物点から近距離物点へのフォーカシングの際に前記第２レンズ群が移動し、
前記第２レンズ群は負レンズを含み且つ物体側に凹面を向けたメニスカス形状の１つのレンズ成分からなり、
以下の条件式（１）、（６）、（７）を満足する
ことを特徴とする全長が一定のズームレンズ。
０．５ ＜ （ｄ４５Ｔ−ｄ４５Ｗ）／ｆＷ ＜ ２．０   ・・・（１）
−１．０ ＜ （ｒ２Ｌ−ｒ２Ｒ）／（ｒ２Ｌ＋ｒ２Ｒ） ＜ −０．４
・・・（６）
１．６５ ＜ ｎｄ２ ＜ ２．１５                     ・・・（７）
ただし、
ｒ２Ｌは、前記第２レンズ群の物体側の空気接触面の曲率半径、
ｒ２Ｒは、前記第２レンズ群の像側の空気接触面の曲率半径、
ｎｄ２は、第２レンズ群中のいずれかの負レンズのｄ−ｌｉｎｅでの屈折率、
ｄ４５Ｗは、広角端における前記第４レンズ群と前記第５レンズ群の光軸上の間隔、
ｄ４５Ｔは、望遠端における前記第４レンズ群と前記第５レンズ群の光軸上の間隔、
ｆＷは、広角端におけるズームレンズ全系の焦点距離、
前記レンズ成分は、光路中にて空気と接触する面が物体側の空気接触面と像側の空気接触面の２つのみのレンズブロック、
である。
【請求項４】
物体側から像側に順に、
負屈折力の第１レンズ群、
負屈折力の第２レンズ群、
正屈折力の第３レンズ群、
負屈折力の第４レンズ群、
正屈折力の第５レンズ群、からなり、
広角端から望遠端への変倍の際に、
前記第１レンズ群が固定され、
前記第２レンズ群が移動し、
前記第３レンズ群と前記第４レンズ群が広角端よりも望遠端にて物体側に位置するように移動し、
前記第２レンズ群と前記第３レンズ群との間隔は広角端よりも望遠端にて狭まり、
前記第３レンズ群と前記第４レンズ群との間隔は広角端よりも望遠端にて広がり、
前記第４レンズ群と前記第５レンズ群との間隔は広角端よりも望遠端にて広がり、
遠距離物点から近距離物点へのフォーカシングの際に前記第２レンズ群が移動し、
前記第３レンズ群は、物体側から順に、
正レンズを含み且つ非球面を持つ正の屈折力の物体側副レンズ群と、負レンズを含む像側副レンズ群からなり、
明るさ絞りが前記物体側副レンズ群と前記像側副レンズ群との間に配置され、
以下の条件式（１）、（８）を満足する
ことを特徴とする請求項１から請求項９の何れか１項に記載の全長が一定のズームレンズ。
０．５ ＜ （ｄ４５Ｔ−ｄ４５Ｗ）／ｆＷ ＜ ２．０   ・・・（１）
０．７ ＜ ｆ３ｆ／ｆ３ ＜ １．３                   ・・・（８）
ただし、
ｆ３ｆは、前記物体側副レンズ群の焦点距離、
ｆ３は、前記第３レンズ群の焦点距離、
ｄ４５Ｗは、広角端における前記第４レンズ群と前記第５レンズ群の光軸上の間隔、
ｄ４５Ｔは、望遠端における前記第４レンズ群と前記第５レンズ群の光軸上の間隔、
ｆＷは、広角端におけるズームレンズ全系の焦点距離、
である。
【請求項５】
前記第３レンズ群中の前記像側副レンズ群が正レンズを含み、
下記条件式（９）、（１０）、（１１）を満足する
ことを特徴とする請求項４に記載の全長が一定のズームレンズ。
６５ ＜ ｖｄ３ｂｐ ＜ ９６                       ・・・（９）
１．７５ ＜ ｎｄ３ｂｎ ＜ ２．０５               ・・・（１０）
２０ ＜ ｖｄ３ｂｎ ＜ ５５                       ・・・（１１）
ただし、
ｖｄ３ｂｐは、前記第３レンズ群の前記像側副レンズ群中の何れかの正レンズのｄ−ｌｉｎｅでのアッベ数、
ｎｄ３ｂｎとｖｄ３ｂｎは、それぞれ前記第３レンズ群の前記像側副レンズ群中の何れかの負レンズのｄ−ｌｉｎｅでの屈折率およびｄ−ｌｉｎｅでのアッベ数、
である。
【請求項６】
前記第２レンズ群は、広角端から望遠端への変倍の際に、先ず像側へ移動したのち物体側へ移動する
ことを特徴とする請求項１から請求項５の何れか１項に記載のズームレンズ。
【請求項７】
前記第３レンズ群が以下の条件式（２）を満足するように移動する
ことを特徴とする請求項１から請求項６の何れか１項に記載の全長が一定のズームレンズ。
２．０ ＜ Δ３／ｆｗ ＜ ３．０                   ・・・（２）
ただし、
Δ３は、前記第３レンズ群の広角端での位置に対する望遠端での位置の差であり、物体側へ移動したときを正符号とする。
【請求項８】
前記第４レンズ群が以下の条件式（３）を満足するように移動する
ことを特徴とする請求項１から請求項７の何れか１項に記載の全長が一定のズームレンズ。
１．０ ＜ Δ４／ｆｗ ＜ １．６                 ・・・（３）
ただし、
Δ４は、前記第４レンズ群の広角端での位置に対する望遠端での位置の差であり、物体側へ移動したときを正符号とする。
【請求項９】
前記第５レンズ群が以下の条件式（４）を満足する
ことを特徴とする請求項１から請求項８の何れか１項に記載の全長が一定のズームレンズ。
−０．５ ＜ Δ５／ｆｗ ＜ ０．５               ・・・（４）
ただし、
Δ５は、前記第５レンズ群の広角端での位置に対する望遠端での位置の差であり、物体側へ移動したときを正符号とする。
【請求項１０】
前記第５レンズ群は広角端から望遠端への変倍の際に固定である
ことを特徴とする請求項１から請求項８の何れか１項に記載の全長が一定のズームレンズ。
【請求項１１】
前記第２レンズ群が以下の条件式（５）を満足する
ことを特徴とする請求項１から請求項１０の何れか１項に記載の全長が一定のズームレンズ。
−６．０ ＜ ｆ２／ｆｗ ＜ −２．０             ・・・（５）
ただし、
ｆ２は、前記第２レンズ群の焦点距離、
である。
【請求項１２】
前記第２レンズ群が物体側に凹面を向けた１枚の負メニスカスレンズからなる
ことを特徴とする請求項１から請求項１１の何れか１項に記載の全長が一定のズームレンズ。
【請求項１３】
前記第３レンズ群が物体側から像側に順に、正レンズ、正レンズ、負レンズ、正レンズからなる、もしくは、正レンズ、負レンズ、正レンズからなる
ことを特徴とする請求項１から請求項１２の何れか１項に記載の全長が一定のズームレンズ。
【請求項１４】
前記第４レンズ群は、負レンズを含み且つ物体側面の曲率の絶対値よりも大きい曲率の像側凹面をもつ負屈折力の負レンズ成分を有し、
前記第５レンズ群は、像側に凸面を向けた正メニスカスレンズを有し、
前記第４レンズ群と前記第５レンズ群の少なくとも何れかが非球面をもつ
ことを特徴とする請求項１から請求項１３の何れか１項に記載の全長が一定のズームレンズ。
ただし、
レンズ成分は、光路中にて空気と接触する面が物体側の空気接触面と像側の空気接触面の２つのみのレンズブロック、
である。
【請求項１５】
前記第４レンズ群は負屈折力の単レンズからなり、前記第５レンズ群は正屈折力の単レンズからなる
ことを特徴とする請求項１４に記載の全長が一定のズームレンズ。
【請求項１６】
前記第４レンズ群は、以下の条件式（１２）、（１３）、（１４）を満足する
ことを特徴とする請求項１４又は請求項１５に記載の全長が一定のズームレンズ。
０．４ ＜ （ｒ４Ｌ−ｒ４Ｒ）／（ｒ４Ｌ＋ｒ４Ｒ） ＜ １．６
・・・（１２）
１．６５ ＜ ｎｄ４ ＜ ２．０５                      ・・・（１３）
２０ ＜ ｖｄ４ ＜ ６０                              ・・・（１４）
ただし、
ｒ４Ｌは、前記第４レンズ群中の前記負レンズ成分の物体側の空気接触面の曲率半径、
ｒ４Ｒは、前記第４レンズ群中の前記負レンズ成分の像側の空気接触面の曲率半径、
ｎｄ４とｖｄ４は、それぞれ前記第４レンズ群の前記負レンズ成分中の何れかの負レンズのｄ−ｌｉｎｅでの屈折率およびｄ−ｌｉｎｅでのアッベ数、
レンズ成分は、光路中にて空気と接触する面が物体側の空気接触面と像側の空気接触面の２つのみのレンズブロック、
である。
【請求項１７】
前記第５レンズ群は、以下の条件式（１５）を満足する
ことを特徴とする請求項１４から請求項１６の何れか１項に記載の全長が一定のズームレンズ。
１５ ＜ ｖｄ５ ＜ ３０                            ・・・（１５）
ただし、
ｖｄ５は、前記第５レンズ群中の前記正メニスカスレンズのｄ−ｌｉｎｅでのアッベ数、
である。
【発明の詳細な説明】
【技術分野】
【０００１】
この発明は、全長が一定のズームレンズに関するものである。特に交換レンズシステム用途として最適であり、動画撮影にも有利な全長が一定のズームレンズに関するものである。
【背景技術】
【０００２】
近年、デジタルカメラにおいては動画撮影が重要な機能として一つの潮流をなしており、レンズ交換式のデジタルカメラにおいてもボディの動画撮影機能に対応した交換レンズが求められている。
【０００３】
従来の静止画カメラでは、一瞬の撮影チャンスを切り取る事が目的であったので、構図を決めた後に、撮影の瞬間に狙った被写体へピントが合っていれば良く、そのための機能が搭載されていた。具体的には、いわゆる位相差方式のオートフォーカス（ＡＦ）機能が採用されており、早さと精度を兼ね備えたＡＦ方式であった。
【０００４】
しかし、動画撮影においては、一部のプロ用ビデオカメラを除き、多くの民生用ビデオカメラでは常時、ＡＦを働かせて合焦状態を維持しておく必要がある。その方法として、撮像素子によるコントラストＡＦ方式（いわゆる山登り方式）が採用されており、フォーカスレンズを合焦位置の前後に、常に微小量動かす（ウォブリングと言われる）ことによってコントラストの変化を測定し、合焦状態が変化したと判断された場合には、フォーカスレンズを適切に移動させることによって、再度、合焦し直すように動作する。このようなウォブリング機能によって、被写体との距離が変化しても、常に合焦状態を維持し続けている訳だが、ボディのフレームレートに応じて、非常に高速な動作が必要とされ、適切な駆動制御を行うためには、ウォブリングを行うレンズには軽量化や移動量の少なさ等が求められてきた。さらに、ウォブリングに伴う音の発生も問題であり、特に動画撮影では音声として記録されてしまうため、静音化も重要な課題となっている。また、ウォブリング中に、像倍率の変化が大きいと、常に画像が揺らいでいるように見え非常に不自然となる。従って、ウォブリング時の倍率変化が小さい事も重要な要求項目となる。
【０００５】
従来、コンパクト化に有利な負レンズ群が最も物体側に位置するネガティブリードタイプのズームレンズが提案されている。しかしながら、その多くは、広角端から望遠端への変倍の際に負屈折力の第１レンズ群が移動するものである。通常、第１レンズ群は外径が大きく、レンズ枚数も多くなりやすいため、その重量は大きくなる。手動ズームの場合はそれでも何ら問題なかったが、ビデオカメラに多く採用されている電動ズームとなると、高重量となりがちな第１レンズ群を可動とすることは望ましくない。従って、ズーミング時に第１レンズ群を固定とすることが求められていた。
【０００６】
広角端から望遠端への変倍（ズーミング）に際して負屈折力の第１レンズ群を固定とした例として、特許文献１〜特許文献３に記載のズームレンズが知られている。このズームレンズは物体側から負・負・正・負・正の５群ズームレンズとなっており、正屈折力の第３レンズ群を物体側へ移動させるとともにその前後の負レンズ群や正屈折力の第５レンズ群を移動させて像面位置調整を行っている。
【先行技術文献】
【特許文献】
【０００７】
【特許文献１】特許２７７８２３２号公報
【特許文献２】特開平１１−１６７０６３号公報
【特許文献３】特開２０１０−２１１０５６号公報
【発明の概要】
【発明が解決しようとする課題】
【０００８】
しかしながら、特許文献１のズームレンズでは、ズーミング時に第１レンズ群を固定としているが、フォーカシングを第１レンズ群で行うため、雑音の低減の点で十分とは言えない。また変倍比も３に至らない。
【０００９】
特許文献２のズームレンズでは、ズーミング時に第１レンズ群を固定とし、第３レンズ群と第５レンズ群が一体的に移動するものであるが、フォーカシングについては記載がみられず、また変倍比も３に至らない。
【００１０】
特許文献３のズームレンズは、ズーミング時に第１レンズ群を固定とし、フォーカシングは第２レンズ群にて行うようにしている。しかし、変倍比が３に至っていない。さらには、第２レンズ群の構成枚数が多く、高重量のため省エネルギーの点では不利である。
【００１１】
本発明は、上述の課題に鑑みて、負・負・正・負・正のタイプのズームレンズにて、ズーミング時とフォーカシング時に全長が一定のインナーズーム、インナーフォーカス方式としつつ、変倍比の確保に有利な全長が一定のズームレンズの提供を目的とする。
【００１２】
更には、フォーカシング時の更なる省エネルギー化、光学性能の確保、低コスト化等に有利な全長が一定のズームレンズの提供を目的とする。
【課題を解決するための手段】
【００１３】
上述の課題を解決するために、本発明のズームレンズは以下の何れかとするものである。
【００１４】
本発明の全長が一定のズームレンズは  物体側から像側に順に、
負屈折力の第１レンズ群、
負屈折力の第２レンズ群、
正屈折力の第３レンズ群、
負屈折力の第４レンズ群、
正屈折力の第５レンズ群、からなり、
広角端から望遠端への変倍の際に、
前記第１レンズ群が固定され、
前記第２レンズ群が移動し、
前記第３レンズ群と前記第４レンズ群が広角端よりも望遠端にて物体側に位置するように移動し、
前記第２レンズ群と前記第３レンズ群との間隔は広角端よりも望遠端にて狭まり、
前記第３レンズ群と前記第４レンズ群との間隔は広角端よりも望遠端にて広がり、
前記第４レンズ群と前記第５レンズ群との間隔は広角端よりも望遠端にて広がり、
遠距離物点から近距離物点へのフォーカシングの際に前記第２レンズ群が移動し、
以下の条件式（１）を満足することを特徴としている。
０．５  ＜  （ｄ４５Ｔ−ｄ４５Ｗ）／ｆＷ  ＜  ２．０  ・・・（１）
ただし、
ｄ４５Ｗは、広角端における前記第４レンズ群と前記第５レンズ群の光軸上の間隔、
ｄ４５Ｔは、望遠端における前記第４レンズ群と前記第５レンズ群の光軸上の間隔、
ｆＷは、広角端におけるズームレンズ全系の焦点距離、である。
【００１５】
本発明のズームレンズでは第１レンズ群を広角端から望遠端への変倍時に固定としてい
る。このように重量の重くなりやすい第１レンズ群が固定であるため、例えば電動ズームの場合、駆動させるモーターのパワーを少なくできる。加えて、第１レンズ群に駆動機構を設けなければズームレンズの径方向の小型化にもつながる。また、第１レンズ群がインナーズームによる音の漏れを遮る構成となり雑音の低減に有効である。よって、動画撮影時のズーム操作においても、静かで且つ電動ズーム化による滑らかなズーミング動作を実現できる。加えて、防塵・防滴の構成とすることにも有利となる。
【００１６】
次に、変倍作用であるが、限られたスペースの中で、十分なズーム比を実現するため、第２レンズ群と第３レンズ群との間隔が狭まるように移動させると共に、第４レンズ群と第５レンズ群との間隔が広がるように構成し増倍機能を確保している。
【００１７】
変倍比の多くは、第３レンズ群の移動によるものとなる。その像側に配置された第４レンズ群が、第３レンズ群と第５レンズ群の間のスペースを十分に活用して、第３レンズ群と第４レンズ群の間隔及び第４レンズ群と第５レンズ群の間隔が広がるように物体側へ移動することで第４レンズ群と第５レンズ群の合成系にも増倍作用を持たせられる。
【００１８】
第２レンズ群を広角端から望遠端への変倍の際に可動とすることで、第４レンズ群と共同してコンペンセータとして機能させることができ、ズームレンズの焦点距離の変化に対する第４レンズ群の移動量を抑えられ変倍に伴う光学性能の変化を抑えやすくなる。
【００１９】
さらに、上述のレンズ群の配置とすることで、第２レンズ群の屈折力を小さくしてもフォーカス感度（単位量の移動に対する像面の変化量）を確保できる。そのため、軽量化とフォーカシング（より好ましくはウォブリング）の機能の確保のため、第２レンズ群をフォーカスレンズ群としている。
【００２０】
第４レンズ群と第５レンズ群は、両レンズ群の間隔を広げるようにズーミングをする。第４レンズ群と第５レンズ群の配置場所は特に非点収差に影響する。条件式（１）は、第４レンズ群と第５レンズ群との好ましい間隔距離の変化量を特定するものである。この条件式（１）の範囲を満たすようにすることで、第４レンズ群と第５レンズ群の合成系での増倍作用を確保できるとともに、非点収差の変化も抑えやすくなる。なお、各条件式は、最も遠距離の物点に合焦した状態とする。移行に説明する条件式についても同様である。
【００２１】
下限値０．５を下回ると間隔の増大量が小さいことになり、第４レンズ群の移動量が小さくなり増倍作用が低下する。もしくは第５レンズ群の物体側への移動が大きくなり、第５レンズ群の減倍作用により小型化と高変倍比化の両立が難しくなる。
上限値２．０を上回ると、第４レンズ群の物体側への移動量が大きくなりすぎるか第５レンズ群が像側へ大きく移動することになり非点収差の補正や小型化に不利となる。
【００２２】
本発明において、以下の構成の少なくとも何れか、更には複数を同時に満足することがより好ましい。
【００２３】
さらに、前記第２レンズ群は、広角端から望遠端への変倍の際に、先ず像側へ移動したのち物側へ移動することが好ましい。
【００２４】
第２レンズ群が上述の移動をすることで、広角側で大きくなりやすい第４レンズ群の移動速度（ズームレンズの焦点距離の変化に対する第４レンズ群の移動量）を抑えやすくなり特に像面湾曲の変動の抑制につながる。望遠側では第２レンズ群が物体側へ移動することで第３レンズ群の移動範囲の確保につながりズームレンズ全体の変倍比の確保に有利となる。
【００２５】
さらに、前記第３レンズ群が以下の条件式（２）を満足するように移動することが好ましい。
２．０  ＜  Δ３／ｆｗ  ＜  ３．０  ・・・（２）
ただし、
Δ３は、前記第３レンズ群の広角端での位置に対する望遠端での位置の差であり、物体側へ移動したときを正符号とする。
【００２６】
条件式（２）は、第３レンズ群の好ましい移動量を特定するものである。
下限値２．０を下回らないように移動量を確保することで、第３レンズ群の屈折力を抑えられ、収差補正に必要なレンズ枚数の増加を抑えやすくなる。
上限値３．０を上回らないようにして移動量を抑えることで、ズームレンズ全長を抑えやすくなり小型の点で好ましい。
【００２７】
さらに、前記第４レンズ群が以下の条件式（３）を満足するように移動することが好ましい。
１．０  ＜  Δ４／ｆｗ  ＜  １．６  ・・・（３）
ただし、
Δ４は、前記第４レンズ群の広角端での位置に対する望遠端での位置の差であり、物体側へ移動したときを正符号とすることが好ましい。
【００２８】
条件式（３）は、第４レンズ群の好ましい移動量を特定するものである。
下限値１．０を下回らないようにすることで、第４レンズ群の屈折力を抑えられ、収差補正に必要なレンズ枚数の増加を抑えやすくなる。
上限値１．６を上回らないようにして移動量を抑え、第５レンズ群がコンペンセータのために大きく移動しないようにすることが機構の簡略化の点で好ましい。
【００２９】
さらに、前記第５レンズ群が以下の条件式（４）を満足することが好ましい。
−０．５  ＜  Δ５／ｆｗ  ＜  ０．５  ・・・（４）
ただし、
Δ５は、前記第５レンズ群の広角端での位置に対する望遠端での位置の差であり、物体側へ移動したときを正符号とする。
【００３０】
条件式（４）は、第５レンズ群の好ましい移動量に関するものである。
下限値−０．５を下回らず且つ上限値０．５を上回らないようにして第５レンズ群の移動量を小さくすることで、非点収差と倍率色収差の補正や、メカ機構の簡略化に有利となる。
【００３１】
さらに、前記第５レンズ群は広角端から望遠端への変倍の際に固定であることが好ましい。
【００３２】
広角端から望遠端への変倍の際に第５レンズ群を固定となせば、鏡枠全体を前後からレンズで塞ぐような構造となり、雑音の低減や防塵・防滴構造の達成に一層有利となる。
【００３３】
さらに、前記第２レンズ群が以下の条件式（５）を満足することが好ましい。
−６．０  ＜  ｆ２／ｆｗ  ＜  −２．０  ・・・（５）
ただし、
ｆ２は、前記第２レンズ群の焦点距離、である。
【００３４】
条件式（５）は、第２レンズ群の好ましい焦点距離を特定するものである。
下限値−６．０を下回らないように負の屈折力を確保することで、フォーカス感度の確
保に有利となり、フォーカシング時の移動量を抑えやすく駆動制御の点で有利となる。
上限値−２．０を上回らないように負の屈折力の過剰を抑えることで、収差補正のためのレンズ枚数の増加を抑えやすくなる。
【００３５】
さらに、前記第１レンズ群は、物体側から像側に順に、
像側へ凹面を向けた２枚の負メニスカスレンズと、物側へ凸面を向けた正メニスカスレンズとからなり、
前記２枚の負メニスカスレンズのうち少なくとも一方の負メニスカスレンズの像側面は非球面であり、且つ、この非球面は、光軸から離れるに従って、負の屈折力が徐々に弱くなる形状であることが好ましい。
【００３６】
色収差や軸外収差など各種収差の低減にも有利なレンズ配置となる。加えて、主点に対して第１レンズ群を像側よりにでき、小型化に有利である。
【００３７】
さらに、前記第２レンズ群は負レンズを含み且つ物体側に凹面を向けたメニスカス形状の１つのレンズ成分からなり、
以下の条件式（６）、（７）を満足することが好ましい。
−１．０  ＜  （ｒ２Ｌ−ｒ２Ｒ）／（ｒ２Ｌ＋ｒ２Ｒ）  ＜  −０．４
・・・（６）
１．６５  ＜  ｎｄ２  ＜  ２．１５              ・・・（７）
ただし、
ｒ２Ｌは、前記第２レンズ群の物体側の空気接触面の曲率半径、
ｒ２Ｒは、前記第２レンズ群の像側の空気接触面の曲率半径、
ｎｄ２は、第２レンズ群中のいずれかの負レンズのｄ−ｌｉｎｅでの屈折率、
レンズ成分は、光路中にて空気と接触する面が物体側の空気接触面と像側の空気接触面の２つのみのレンズブロックである。なお、レンズブロックには単レンズ、接合レンズどちらを用いてもよい。
【００３８】
本発明における第２レンズ群は、物体側へ繰出すことにより、遠距離から近距離へのフォーカシングが可能である。上述の構成とすることで第２レンズ群を軽量化しやすくなり、フォーカシング駆動（更にはウォブリング駆動）を高速に行う上で有利となる。
【００３９】
条件式（６）は、第２レンズ群を構成する負メニスカスレンズ成分の好ましい形状を特定するものである。
第２レンズ群の形状は、フォーカシング時の球面収差の変動に影響しやすい。条件式（６）の下限値−１．０を下回らず上限値−０．４を上回らないようにすることで、特に望遠側での近距離において球面収差の発生を低減することに有利となる。また、第２レンズ群を移動したときの撮像面上での大きさの変化を抑えやすくなり、ウォブリングを行う場合に有利となる。
【００４０】
条件式（７）は、第２レンズ群中の何れかの負レンズの好ましい屈折率を特定するものである。
下限値１．６５を下回らないようにして屈折率を確保することで、ペッツバール和を良好にでき、像面湾曲の補正に有利となる。
上限値２．１５を上回らないようにして屈折率を抑えることで、硝材費を抑えやすくなりコスト面で有利となる。
【００４１】
さらに、前記第２レンズ群が物体側に凹面を向けた１枚の負メニスカスレンズからなることが好ましく、このような構成とすることで低コスト化、省エネルギー化にいっそう有利となる。
【００４２】
さらに、前記第３レンズ群は、物体側から順に、
正レンズを含み且つ非球面を持つ正の屈折力の物体側副レンズ群と、負レンズを含む像側副レンズ群からなり、
明るさ絞りが前記物体側副レンズ群と前記像側副レンズ群との間に配置され、
下記条件式（８）を満足することが好ましい。
０．７  ＜  ｆ３ｆ／ｆ３  ＜  １．３  ・・・（８）
ただし、
ｆ３ｆは、前記物体側副レンズ群の焦点距離、
ｆ３は、前記第３レンズ群の焦点距離、である。
【００４３】
本発明のレンズ群配置においては第３レンズ群は変倍への寄与の割合が高くなる。そのため、屈折力が大きくなりやすい。また、ズームレンズ中の物体側に負屈折力のレンズ群が２つ並ぶことになる。第３レンズ群中に明るさ絞りを配置して物体側を正屈折力の物体側副レンズ群とすることで光学系全体の大きさを抑えつつディストーション等の発生を緩和しやすくなる。物体側副レンズ群に非球面を配置することで球面収差の補正に有利となる。
【００４４】
そして、明るさ絞りの像側に負レンズを持つ像側副レンズ群を配置することで、第３レンズ群の収差補正に有利となる。加えて第３レンズの主点を物体側よりにでき、変倍比の確保にもつながる。
物体側副レンズ群中の非球面は、光軸から離れるに従って、正の屈折力が徐々に弱くなっていく形状が球面収差の補正のためにより好ましい。
【００４５】
条件式（８）は、物体側副レンズ群の好ましい焦点距離を特定するものである。
上限値１．３を上回らないようにして、第３レンズ群の屈折力を物体側副レンズ群に担わせることが好ましい。第１レンズ群と第２レンズ群にて発散された光束は第３レンズ群中の物体側副レンズ群の強い正屈折力により収束されることとなり、それ以降の明るさ絞りの径やレンズの径の小型化に有利となる。
下限値０．７を下回らないように物体側副レンズ群の正屈折力の過剰を抑えることで、球面収差の発生を抑えやすくなる。
【００４６】
さらに、前記第３レンズ群中の前記像側副レンズ群が正レンズを含み、
下記条件式（９）、（１０）、（１１）を満足することが収差補正の点でより好ましい。
６５  ＜  ｖｄ３ｂｐ  ＜  ９６      ・・・（９）
１．７５  ＜  ｎｄ３ｂｎ  ＜  ２．０５  ・・・（１０）
２０  ＜  ｖｄ３ｂｎ  ＜  ５５      ・・・（１１）
ただし、
ｖｄ３ｂｐは、前記第３レンズ群の前記像側副レンズ群中の何れかの正レンズのｄ−ｌｉｎｅでのアッベ数、
ｎｄ３ｂｎとｖｄ３ｂｎは、それぞれ前記第３レンズ群の前記像側副レンズ群中の何れかの負レンズのｄ−ｌｉｎｅでの屈折率およびｄ−ｌｉｎｅでのアッベ数、である。
【００４７】
前述の条件式（８）を満足するように像側副レンズ群の屈折力の絶対値を弱くすることが好ましい。この像側副レンズ群は、色収差補正に重要であり、少なくとも１枚の正レンズと負レンズを含むように構成することが好ましい。
【００４８】
条件式（９）は、像側副レンズ群に含まれる何れかの正レンズの好ましいアッベ数を特定するものである。
下限値６５を下回らないようにアッベ数を大きくすることで、色収差を小さく抑えやすくなる。
上限値９６を上回らないようにすることで、硝材のコストを抑えやすくなる。
【００４９】
条件式（１０）は、像側副レンズ群に含まれる何れかの負レンズの好ましい屈折率を特定するものである。
下限値１．７５を下回らないように負レンズの屈折率を高くすることで、ペッツバール和の悪化を抑えやすくなり像面湾曲の補正に有利となる。
上限値２．０５を上回らないようにすることで、硝材のコストを抑えやすくなる。
【００５０】
条件式（１１）は、像側副レンズ群に含まれる何れかの負レンズの好ましいアッベ数を特定するものである。
上限値５５を上回らないように負レンズのアッベ数を小さくすることで負レンズによる色収差の補正効果の確保に有利となり、硝材の屈折率も確保しやすくなり、収差補正上好ましい。
下限値２０を下回らないように負レンズのアッベ数を確保して、硝材の異常分散性を抑えることで色収差の全体の補正を行いやすくなる。
【００５１】
さらに、前記第３レンズ群が物体側から像側に順に、正レンズ、正レンズ、負レンズ、正レンズからなる、もしくは、正レンズ、負レンズ、正レンズからなることで、構成レンズ枚数を抑えつつ収差補正にも有利であり好ましい。
【００５２】
さらに、前記第４レンズ群は、負レンズを含み且つ物体側面の曲率の絶対値よりも大きい曲率の像側凹面をもつ負屈折力の負レンズ成分を有し、
前記第５レンズ群は、像側に凸面を向けた正メニスカスレンズを有し、
前記第４レンズ群と前記第５レンズ群の少なくとも何れかが非球面をもつことが好ましい。
【００５３】
本発明では、第４レンズ群と第５レンズ群の間隔変化を確保している。そのため、最大像高に対応する主光線の光線高は、第４レンズ群においては、広角側が高く、望遠側で低くなる。一方、第５レンズ群における光線高は、逆に、広角側が低く、望遠側が高くなる。
【００５４】
そのため、第４レンズ群は広角側の収差補正に有利な形状にし、第５レンズ群は望遠側の収差補正に有利な形状とすることが全変倍域での収差補正上効果的である。第４レンズ群と第５レンズ群を上述の構成とすることで、変倍時の像面湾曲、歪曲収差および倍率色収差の変動の低減に有利となる。
【００５５】
さらに、前記第４レンズ群は負屈折力の単レンズからなり、前記第５レンズ群は正屈折力の単レンズからなることが軽量化や低コスト等に有利となり好ましい。
【００５６】
また、前記第４レンズ群は、
以下の条件式（１２）、（１３）、（１４）を満足することが好ましい。
０．４  ＜  （ｒ４Ｌ−ｒ４Ｒ）／（ｒ４Ｌ＋ｒ４Ｒ）  ＜  １．６
・・・（１２）
１．６５  ＜  ｎｄ４  ＜  ２．０５      ・・・（１３）
２０  ＜  ｖｄ４  ＜  ６０          ・・・（１４）
ただし、
ｒ４Ｌは、前記第４レンズ群中の前記負レンズ成分の物体側の空気接触面の曲率半径、
ｒ４Ｒは、前記第４レンズ群中の前記負レンズ成分の像側の空気接触面の曲率半径、
ｎｄ４とｖｄ４は、それぞれ前記第４レンズ群の前記負レンズ成分中の何れかの負レンズのｄ−ｌｉｎｅでの屈折率およびｄ−ｌｉｎｅでのアッベ数、
レンズ成分は、光路中にて空気と接触する面が物体側の空気接触面と像側の空気接触面の２つのみのレンズブロック、である。なお、レンズブロックには単レンズ、接合レンズどちらを用いてもよい。
【００５７】
条件式（１２）は、第４レンズ群中の負レンズ成分の好ましい形状を特定するものである。
下限値０．４を下回らないようにすることで、特に広角側での歪曲収差の低減に有利となる。
上限値１．６を上回らないようにすることで、第４レンズ群の屈折力を小さくしやすくなり、第５レンズ群の外径の小型化や収差補正に有利となる。
【００５８】
条件式（１３）は、第４レンズ群中の負レンズの好ましい屈折率を特定するものである。
下限値１．６５を下回らないように屈折率を確保することで、ペッツバール和の悪化を抑え、像面湾曲の補正に有利となる。
上限値２．０５を上回らないようにすることで、硝材のコスト低減に有利となる。
【００５９】
条件式（１４）は、第４レンズ群中の負レンズの好ましいアッベ数を特定するものである。
上限値６０を上回らないようにすることで屈折率を確保しやすくなり像面湾曲の補正に有利となる。
下限値２０を下回らないようにすることで、硝材のコスト低減につながる。
【００６０】
また、前記第５レンズ群は、
以下の条件式（１５）を満足することが好ましい。
１５  ＜  ｖｄ５  ＜  ３０  ・・・（１５）
ただし、
ｖｄ５は、前記第５レンズ群中の前記正メニスカスレンズのｄ−ｌｉｎｅでのアッベ数、である。
【００６１】
条件式（１５）は、第５レンズ群中の正メニスカスレンズの好ましいアッベ数に関するものである。第５レンズ群は、特に望遠側での倍率色収差の補正に有利となる。
上限値３０を上回らないようにすることで、硝材の異常分散性の影響を防ぐことに有利となる。
下限値１５を下回らないようにすることで、硝材のコスト低減につながる。
【００６２】
上述の各構成は複数を同時に満足することでその機能をより確実にできる。
また、各条件式の範囲を以下のようにすることでその機能をより確実にでき好ましい。
【００６３】
条件式（１）について、
下限値を０．７、更には０．９とすることがより好ましい。
上限値を１．７、更には１．４とすることがより好ましい。
【００６４】
条件式（２）について、
下限値を２．２、更には２．３５とすることがより好ましい。
上限値を２．８、更には２．６とすることがより好ましい。
【００６５】
条件式（３）について、
下限値を１．０５、更には１．０８とすることがより好ましい。
上限値を１．５、更には１．４とすることがより好ましい。
【００６６】
条件式（４）について、
下限値を−０．３、更には−０．２とすることがより好ましい。
上限値を０．３、更には０．２とすることがより好ましい。
【００６７】
条件式（５）について、
下限値を−５．０、更には−４．０とすることがより好ましい。
上限値を−２．５、更には−３．０とすることがより好ましい。
【００６８】
条件式（６）について、下限値を−０．９８とすることがより好ましい。
上限値を−０．５、更には−０．６５とすることがより好ましい。
【００６９】
条件式（７）について、下限値を１．６９、更には１．７４とすることがより好ましい。
上限値を２．０５、更には１．９５とすることがより好ましい。
【００７０】
条件式（８）について、下限値を０．８、更には０．９とすることがより好ましい。
上限値を１．２５、更には１．２とすることがより好ましい。
【００７１】
条件式（９）について、下限値を６７、更には６９とすることがより好ましい。
上限値を９０、更には８４とすることがより好ましい。
【００７２】
条件式（１０）について、下限値を１．７９、更には１．８２とすることがより好ましい。
上限値を２．０、更には１．９５とすることがより好ましい。
【００７３】
条件式（１１）について、
下限値を２５、更には３０とすることがより好ましい。
上限値を４５、更には４０とすることがより好ましい。
【００７４】
条件式（１２）について、
下限値を０．５５、更には０．７とすることがより好ましい。
上限値を１．４、更には１．２とすることがより好ましい。
【００７５】
条件式（１３）について、
下限値を１．６７、更には１．６９とすることがより好ましい。
上限値を１．９５、更には１．８５とすることがより好ましい。
【００７６】
条件式（１４）について、
下限値を３０、更には４０とすることがより好ましい。
上限値を５７、更には５４とすることがより好ましい。
【００７７】
条件式（１５）について、
下限値を１７、更には１８．５とすることがより好ましい。
上限値を２７とすることがより好ましい。
【発明の効果】
【００７８】
本発明によれば、負・負・正・負・正のタイプのズームレンズにて、ズーミング時とフ
ォーカシング時に全長が一定のインナーズーム、インナーフォーカス方式としつつ、光学性能や変倍比の確保にも有利な全長が一定のズームレンズの提供が可能となる。
【００７９】
更には、フォーカシング時の更なる省エネルギー化、光学性能の確保、低コスト化等少なくとも何れかに有利な全長が一定のズームレンズの提供が可能となる。
【図面の簡単な説明】
【００８０】
【図１】本発明の実施例１のズームレンズを展開して光軸に沿ってとった断面図
【図２】本発明の実施例２のズームレンズを展開して光軸に沿ってとった断面図
【図３】本発明の実施例３のズームレンズを展開して光軸に沿ってとった断面図
【図４】本発明の実施例４のズームレンズを展開して光軸に沿ってとった断面図
【図５】本発明の実施例５のズームレンズを展開して光軸に沿ってとった断面図
【図６】本発明の実施例１のズームレンズの収差図（無限物点）
【図７】本発明の実施例１のズームレンズの収差図（撮影距離：０．３５ｍ）
【図８】本発明の実施例２のズームレンズの収差図（無限物点）
【図９】本発明の実施例２のズームレンズの収差図（撮影距離：０．３５ｍ）
【図１０】本発明の実施例３のズームレンズの収差図（無限物点）
【図１１】本発明の実施例３のズームレンズの収差図（撮影距離：０．３５ｍ）
【図１２】本発明の実施例４のズームレンズの収差図（無限物点）
【図１３】本発明の実施例４のズームレンズの収差図（撮影距離：０．３５ｍ）
【図１４】本発明の実施例５のズームレンズの収差図（無限物点）
【図１５】本発明の実施例５のズームレンズの収差図（撮影距離：０．３５ｍ）
【図１６】本発明のズームレンズを交換レンズとして用いた撮像装置の断面図
【図１７】本発明のデジタルカメラの外観を示す前方斜視図
【図１８】本発明のデジタルカメラの外観を示す後方斜視図
【図１９】本発明のデジタルカメラの制御構成を示すブロック図
【発明を実施するための形態】
【００８１】
本発明の実施例１〜実施例５のズームレンズについて図を用いて説明する。図１〜図５は、本発明の実施例１〜実施例５のズームレンズを展開して光軸に沿ってとった断面図である。各図において（ａ）は広角端（ＷＥ）、（ｂ）は中間状態（ＳＴ）、（ｃ）は望遠端（ＴＥ）を示している。図中、Ｉは像面、Ｃはカバーガラス（平行平板）を示している。
【００８２】
以下に示す各実施例は、物体側から像側に順に負・負・正・負・正の５群ズームレンズとしており、第１レンズ群Ｇ１を固定とし、第２レンズ群Ｇ２にフォーカス機能とウォブリング機能を持たせている。
【００８３】
図中、第２レンズ群Ｇ２下方に示される左右方向への矢印は、第２レンズ群Ｇ２がウォブリング動作のために微小に前後振動することを図示したものである。
（ａ）から（ｂ）に掛けての各矢印は、（ａ）に示す状態に対して（ｂ）に示す状態にてレンズ群がどちらに移動したかを示すものである。
（ｂ）から（ｃ）に掛けての各矢印は、（ｂ）に示す状態に対して（ｃ）に示す状態にてレンズ群がどちらに移動したかを示すものである。
【００８４】
なお、レンズ群の移動を示す矢印は、変倍途中の移動軌跡を示すものとは限らない。
例えば、(ａ)から（ｂ）への状態にて第２レンズ群Ｇ２が像側に凸の往復移動をする構成であっても構わない。
（ｂ）から（ｃ）への状態にて第２レンズ群Ｇ２が像側に凸の往復移動する構成であっても構わない。
（ｂ）から（ｃ）への状態にて第４レンズ群Ｇ４が物体側に凸の往復移動する構成であっても構わない。
（ｂ）から（ｃ）への状態にて第５レンズ群Ｇ５が像側に凸の往復移動する構成であっても構わない。
【００８５】
何れも小型で高性能な標準ズームレンズとなっている。特に、デジタルカメラの交換レンズシステム用途として最適で、動画撮影可能なズームレンズとなっている。具体的には、小型で高性能な変倍比４程度で広角端の画角が８０°以上であり広画角を確保した標準ズームレンズとなっている。
【００８６】
［実施例１］
図１は、実施例１のズームレンズの断面図である。実施例１のズームレンズは、図に示すように物体側から像側に順に、負パワーの第１レンズ群Ｇ１、負パワーの第２レンズ群Ｇ２、正パワーの第３レンズ群Ｇ３、負パワーの第４レンズ群Ｇ４、正パワーの第５レンズ群Ｇ５から構成されている。
【００８７】
第１レンズ群Ｇ１は、物体側へ凸面を向けた負メニスカスレンズＬ１、物体側へ凸面を向けた両面非球面の負メニスカスレンズＬ２、物体側へ凸面を向けた正メニスカスレンズＬ３からなる。
第２レンズ群Ｇ２は、像側へ凸面を向けた負メニスカスレンズＬ４からなる。
第３レンズ群Ｇ３は、両面非球面の両凸正レンズＬ５、絞りＳ、正レンズと負レンズと正レンズの３枚接合Ｌ６（レンズブロック）からなる。
第４レンズ群Ｇ４は、像側へ凹面を向けた負メニスカスレンズＬ７からなる。
第５レンズ群Ｇ５は、プラスチックからなる両面非球面のメニスカスレンズＬ８と、像側へ凸面を向けた正メニスカスレンズＬ９からなる。
【００８８】
ズームにおいて第２レンズ群Ｇ２〜第４レンズＧ４群は独立に移動するが、第１レンズ群Ｇ１と第５レンズ群Ｇ５は像面に対して固定されている。フォーカスおよびウォブリングは第２レンズ群Ｇ２にて行われ、無限から近距離へのフォーカスに際し、第２レンズ群Ｇ２は物側へ移動する。
【００８９】
広角から望遠へのズームに際し、第１レンズ群Ｇ１と第２レンズ群Ｇ２の間隔は増大したのちに減少するように移動し、第２レンズ群Ｇ２と第３レンズ群Ｇ３の間隔は減少するように移動し、第３レンズ群Ｇ３と第４レンズ群Ｇ４の間隔および第４レンズ群Ｇ４と第５レンズ群Ｇ５の間隔は増大するように移動する。
【００９０】
［実施例２］
図２は、実施例２のズームレンズの断面図である。実施例２のズームレンズは、負パワーの第１レンズ群Ｇ１、負パワーの第２レンズ群Ｇ２、正パワーの第３レンズ群Ｇ３、負パワーの第４レンズ群Ｇ４、正パワーの第５レンズ群Ｇ５から構成されている。
【００９１】
第１レンズ群Ｇ１は、物体側へ凸面を向けた負メニスカスレンズＬ１、物体側へ凸面を向けた両面非球面の負メニスカスレンズＬ２、物体側へ凸面を向けた正メニスカスレンズＬ３からなる。
第２レンズ群Ｇ２は、像側へ凸面を向けた負メニスカスレンズＬ４からなる。
第３レンズ群Ｇ３は、両面非球面の両凸正レンズＬ５、絞りＳ、負レンズと正レンズの２枚接合Ｌ６（レンズブロック）からなる。
第４レンズ群Ｇ４は、像側へ凹面を向けた負メニスカスレンズＬ７、プラスチックからなる両面非球面のメニスカスレンズＬ８からなる。
第５レンズ群Ｇ５は、像側へ凸面を向けた正メニスカスレンズＬ９からなる。
【００９２】
、ズームにおいて第２レンズ群Ｇ２〜第４レンズ群Ｇ４は独立に移動するが、第１レンズ群Ｇ１と第５レンズ群Ｇ５は像面に対して固定されている。フォーカスおよびウォブリングは第２レンズ群Ｇ２にて行われ、無限から近距離へのフォーカスに際し、第２レンズ群Ｇ２は物側へ移動する。
【００９３】
広角から望遠へのズームに際し、第１レンズ群Ｇ１と第２レンズ群Ｇ２の間隔は増大したのちに減少するように移動し、第２レンズ群Ｇ２と第３レンズ群Ｇ３の間隔は減少するように移動し、第３レンズ群Ｇ３と第４レンズ群Ｇ４の間隔および第４レンズ群Ｇ４と第５レンズ群Ｇ５の間隔は増大するように移動する。
【００９４】
［実施例３］
図３は、実施例３のズームレンズの断面図である。実施例３のズームレンズは、負パワーの第１レンズ群Ｇ１、負パワーの第２レンズ群Ｇ２、正パワーの第３レンズ群Ｇ３、負パワーの第４レンズ群Ｇ４、正パワーの第５レンズ群Ｇ５から構成されている。
【００９５】
第１レンズ群Ｇ１は、物体側へ凸面を向けた負メニスカスレンズＬ１、物体側へ凸面を向けた両面非球面の負メニスカスレンズＬ２、物体側へ凸面を向けた正メニスカスレンズＬ３からなる。
第２レンズ群Ｇ２は、像側へ凸面を向けた負メニスカスレンズＬ４からなる。
第３レンズ群Ｇ３は、両面非球面の両凸正レンズＬ５、絞りＳ、正レンズと負レンズと正レンズの３枚接合Ｌ６（レンズブロック）からなる。
第４レンズ群Ｇ４は、像側へ強い凹面を向けた両面非球面の負レンズＬ７からなる。
第５レンズ群Ｇ５は、像側へ凸面を向けた正メニスカスレンズＬ８からなる。
【００９６】
ズームにおいて第２レンズ群〜第４レンズ群Ｇ４は独立に移動するが、第１レンズ群Ｇ１と第５レンズ群Ｇ５は像面に対して固定されている。フォーカスおよびウォブリングは第２レンズ群Ｇ２にて行われ、無限から近距離へのフォーカスに際し、第２レンズ群Ｇ２は物側へ移動する。
【００９７】
広角から望遠へのズームに際し、第１レンズ群Ｇ１と第２レンズ群Ｇ２の間隔は増大したのちに減少するように移動し、第２レンズ群Ｇ２と第３レンズ群Ｇ３の間隔は減少するように移動し、第３レンズ群Ｇ３と第４レンズ群Ｇ４の間隔および第４レンズ群Ｇ４と第５レンズ群Ｇ５の間隔は増大するように移動する。
【００９８】
［実施例４］
図４は、実施例４のズームレンズの断面図である。実施例４のズームレンズは、負パワーの第１レンズ群Ｇ１、負パワーの第２レンズ群Ｇ２、正パワーの第３レンズ群Ｇ３、負パワーの第４レンズ群Ｇ４、正パワーの第５レンズ群Ｇ５から構成されている。
【００９９】
第１レンズ群Ｇ１は、物体側へ凸面を向けた負メニスカスレンズＬ１、物体側へ凸面を向けた両面非球面の負メニスカスレンズＬ２、物体側へ凸面を向けた正レンズＬ３からなる。
第２レンズ群Ｇ２は、像側へ凸面を向けた負メニスカスレンズＬ４からなる。
第３レンズ群Ｇ３は、非球面を有する両凸正レンズＬ５、絞りＳ、正レンズと負レンズの２枚接合Ｌ６（レンズブロック）、両面非球面の正レンズＬ７からなる。
第４レンズ群Ｇ４は、像側へ強い凹面を向けた両面非球面の負レンズＬ８からなる。
第５レンズ群Ｇ５は、像側へ凸面を向けた正メニスカスレンズＬ９からなる。
【０１００】
ズームにおいて第２レンズ群Ｇ２〜第４レンズ群Ｇ４は独立に移動するが、第１レンズ
群Ｇ１と第５レンズ群Ｇ５は像面に対して固定されている。フォーカスおよびウォブリングは第２レンズ群Ｇ２にて行われ、無限から近距離へのフォーカスに際し、第２レンズ群Ｇ２は物側へ移動する。
【０１０１】
広角から望遠へのズームに際し、第１レンズ群Ｇ１と第２レンズ群Ｇ２の間隔は増大したのちに減少するように移動し、第２レンズ群Ｇ２と第３レンズ群Ｇ３の間隔は減少するように移動し、第３レンズ群Ｇ３と第４レンズ群Ｇ４の間隔および第４レンズ群Ｇ４と第５レンズ群Ｇ５の間隔は増大するように移動する。
【０１０２】
［実施例５］
図５は、実施例５のズームレンズの断面図である。実施例５のズームレンズは、負パワーの第１レンズ群Ｇ１、負パワーの第２レンズ群Ｇ２、正パワーの第３レンズ群Ｇ３、負パワーの第４レンズ群Ｇ４、正パワーの第５レンズ群Ｇ５から構成されている。
【０１０３】
第１レンズ群Ｇ１は、物体側へ凸面を向けた負メニスカスレンズＬ１、物体側へ凸面を向けた両面非球面の負メニスカスレンズＬ２、物体側へ凸面を向けた正メニスカスレンズＬ３からなる。
第２レンズ群Ｇ２は、負レンズと正レンズの２枚接合Ｌ４（レンズブロック）からなる。
第３レンズ群Ｇ３は、両面非球面の両凸正レンズＬ５、絞りＳ、正レンズと負レンズと正レンズの３枚接合Ｌ６（レンズブロック）からなる。
第４レンズ群Ｇ４は、像側へ強い凹面を向けた両面非球面の負レンズＬ７からなる。
第５レンズ群Ｇ５は、像側へ凸面を向けた正メニスカスレンズＬ８からなる。
【０１０４】
ズームにおいて第２レンズ群Ｇ２から第５レンズ群Ｇ５は独立に移動するが、第１レンズ群Ｇ１は像面に対して固定されている。フォーカスおよびウォブリングは第２レンズ群Ｇ２にて行われ、無限から近距離へのフォーカスに際し、第２レンズ群Ｇ２は物側へ移動する。
【０１０５】
広角から望遠へのズームに際し、第１レンズ群Ｇ１と第２レンズ群Ｇ２の間隔は増大したのちに減少するように移動し、第２レンズ群Ｇ２と第３レンズ群Ｇ３の間隔は減少するように移動し、第３レンズ群Ｇ３と第４レンズ群Ｇ４の間隔および第４レンズ群Ｇ４と第５レンズ群Ｇ５の間隔は増大するように移動する。なお、第５レンズ群Ｇ５は広角から望遠へのズームに際し、像側へ移動する。
【０１０６】
［数値実施例］
以下に上記実施例１〜実施例５の各種数値データ（面データ、非球面データ、可変間隔データ、各種データ１、各種データ２）を示す。
【０１０７】
面データには、面番号毎に各レンズ面（光学面）の曲率半径ｒ、面間隔ｄ、各レンズ（光学媒質）のｄ線（５８７．６ｎｍ）に対する屈折率ｎｄ、各レンズ（光学媒質）のｄ線のアッベ数νｄが示されている。曲率半径ｒ、面間隔ｄなど距離に関するデータの単位は特段の記載がない場合、ミリメートル（ｍｍ）である。面データ中、面番号の右側に付されたアスタリスク“＊”は、そのレンズ面が非球面形状であることを、また、曲率半径に記載する“∞”は、無限大であることを示している。
【０１０８】
非球面データには、面データ中、非球面形状としたレンズ面に関するデータが示されている。非球面形状は、ｘを光の進行方向を正とした光軸とし、ｙを光軸と直交する方向にとると下記の式にて表される。
ｘ＝（ｙ2／ｒ）／［１＋｛１−（１＋Ｋ）・（ｙ／ｒ）2｝1/2］
＋Ａ4ｙ4＋Ａ6ｙ6＋Ａ8ｙ8＋Ａ10ｙ10＋Ａ12ｙ12…
ただし、ｒは近軸曲率半径、Ｋは円錐係数、Ａ4、Ａ6、Ａ8、Ａ10、Ａ12はそれぞれ４
次、６次、８次、１０次、１２次の非球面係数である。なお、記号“Ｅ”は、それに続く数値が１０を底にもつ、べき指数であることを示している。例えば「１．０Ｅ-5」は「１．０×１０-5」であることを意味している。
【０１０９】
各種データ１には、広角端（ＷＥ）、中間（ＳＴ）、望遠端（ＴＥ）における各種ズームデータが示されている。ズームデータとしては、焦点距離、Ｆナンバー（Ｆno）、画角（２ω）、可変する面間隔ｄ（無限物点時、撮影距離０．３５ｍ時）が示されている。
【０１１０】
各種データ２には、像高、バックフォーカス（ＢＦ）、全長、第１〜第５レンズ群における焦点距離ｆ１〜ｆ５が示されている。これらデータは、広角端（ＷＥ）、中間（ＳＴ）、望遠端（ＴＥ）にて同じ値である。また、バックフォーカス（ＢＦ）、全長は、何れもフィルター無しのもの（フィルター部分を空気換算距離としたもの）である。
【０１１１】
［数値実施例１］
面番号            ｒ             ｄ            ｎｄ        νｄ
1            64.3900          1.950         1.78800       47.37
2            16.6323          6.370
3*           60.0000          1.500         1.58313       59.38
4*           16.6012          2.630
5            25.4912          4.470         1.84666       23.78
6           944.5098       d6（可変）
7           -23.3996          1.200         1.78800       47.37
8          -100.0000       d8（可変）
9*           14.4588          4.150         1.58313       59.38
10*         -33.2321          1.070
11（絞り）        ∞          1.000
12           27.1904          2.910         1.56732       42.82
13         -135.7170          0.940         1.91082       35.25
14           10.3769          3.960         1.49700       81.54
15          -19.5832      d15（可変）
16          108.8658          0.860         1.77250       49.60
17           14.0873      d17（可変）
18*         -80.0000          2.500         1.53110       55.91
19*         -66.8694          3.430
20          -80.0000          3.400         1.78470       26.29
21          -26.1235        12.4700
22                ∞          4.080         1.51633       64.14
23                ∞          0.745
像面（撮像面）    ∞
非球面データ
第３面
K=0
A4=1.2653E-5
A6=-1.6312E-7
A8=1.8274E-9
A10=-9.6923E-12
A12=1.9376E-14
第４面
K=0
A4=-2.7562E-5
A6=-2.9674E-7
A8=2.1253E-9
A10=-1.3746E-11
A12=2.6063E-14
第９面
K=0
A4=-2.4478E-5
A6=-7.4257E-7
A8=3.0322E-8
A10=-5.5238E-10
A12=4.9598E-12
第１０面
K=0
A4=7.1570E-5
A6=-6.8993E-7
A8=2.9439E-8
A10=-5.7702E-10
A12=5.6890E-12
第１８面
K=0
A4=8.8450E-5
A6=-2.6679E-6
A8=4.2350E-8
A10=-3.7291E-10
A12=1.4152E-12
第１９面
K=0
A4=9.6408E-5
A6=-2.3884E-6
A8=3.2859E-8
A10=-2.5318E-10
A12=8.4509E-13
各種データ１
ＷＥ          ＳＴ           ＴＥ
焦点距離       12.241        24.483         48.974
Ｆno．           3.57          4.79           6.43
２ω（°）      89.73         47.87          24.41
無限
d6             7.9505        8.3129         5.4557
d8            28.0215       12.3494         1.6162
d15            2.0000        5.3427        15.2915
d17            4.3941       16.3611        20.0028
0.35m
d6             6.8433        7.2139         4.2894
d8            29.1287       13.4484         2.7825
d15            2.0000        5.3427        15.2915
d17            4.3941       16.3611        20.0028
各種データ２
像高           10.815
BF              15.90
全長           100.61
ｆ１          -48.379
ｆ２          -39.035
ｆ３           17.040
ｆ４          -21.030
ｆ５           44.990
【０１１２】
［数値実施例２］
面番号            ｒ             ｄ            ｎｄ        νｄ
1            45.2207          2.140         1.77250       49.60
2            16.3269          5.120
3*           41.8793          1.500         1.58313       59.38
4*           14.4691          3.850
5            23.9939          3.800         1.80810       22.76
6           103.8698      d6（可変）
7           -24.8418          1.200         1.74100       52.64
8          -100.0000      d8（可変）
9*           14.0498          4.300         1.58313       59.38
10*         -31.7996          1.300
11（絞り）        ∞          1.900
12          179.0098          1.000         1.83400       37.16
13           10.8826          5.000         1.49700       81.54
14          -18.9390     d14（可変）
15          128.8505          1.000         1.83481       42.71
16           15.2795          1.580
17*          37.2148          2.000         1.53071       55.69
18*          57.5081     d18（可変）
19          -75.0639          2.480         1.75211       25.05
20          -23.7233        11.1634
21                ∞          4.080         1.51633       64.14
22                ∞          0.745
像面（撮像面）    ∞
非球面データ
第３面
K=1.2447
A4=2.0075E-5
A6=-2.7611E-7
A8=2.4894E-10
A10=3.5331E-12
A12=-9.3037E-15
第４面
K=-1.0662
A4=2.1822E-5
A6=-3.0982E-7
A8=-1.7795E-9
A10=1.9840E-11
A12=-5.0306E-14
第９面
K=0
A4=-3.8287E-5
A6= -4.3941E-8
A8=1.5034E-10
A10=1.3526E-11
A12=0
第１０面
K=0
A4= 6.6094E-5
A6=-2.9345E-8
A8=-1.6201E-9
A10=3.6897E-11
A12=0
第１７面
K=-82.6051
A4=2.9743E-4
A6=-7.3765E-6
A8=9.2595E-8
A10=-8.7606E-10
A12=0
第１８面
K=-271.4873
A4=2.8604E-4
A6=-6.8173E-6
A8=8.5146E-8
A10=-7.3142E-10
A12=0
各種データ１
ＷＥ          ＳＴ           ＴＥ
焦点距離       12.243        24.463         48.956
Ｆno．           3.64          5.21           6.48
画角（２ω）    89.71         47.68          24.46
無限
d6             6.6446        9.3245         5.9114
d8            30.0675       12.3503         1.5559
d14            3.8142        7.9355        19.7513
d18            6.8162       17.7320        20.1237
0.35m
d6             5.3346        8.0933         4.5785
d8            31.3775       13.5815         2.8888
d14            3.8142        7.9355        19.7513
d18            6.8162       17.7320        20.1237
各種データ２
像高           10.815
BF              14.60
全長           100.11
ｆ１          -41.219
ｆ２          -44.911
ｆ３           18.399
ｆ４          -23.276
ｆ５           45.180
【０１１３】
［数値実施例３］
面番号            ｒ             ｄ            ｎｄ        νｄ
1            35.2780          1.500         1.77250       49.60
2            15.8293          6.790
3*           57.6000          1.500         1.58313       59.38
4*           14.2261          5.190
5            26.3919          4.360         1.84666       23.78
6          7000.0000      d6（可変）
7           -31.1517          0.800         1.80400       46.57
8         -2000.0000      d8（可変）
9*           15.5216          3.770         1.69350       53.21
10*         -50.1195          1.500
11（絞り）        ∞          1.000
12           39.2759          2.670         1.48749       70.23
13          270.4115          0.800         1.90366       31.32
14           10.0543          3.860         1.48749       70.23
15          -21.2114     d15（可変）
16*        -492.9354          1.000         1.69350       53.21
17*          20.7531     d17（可変）
18          -86.4143          3.700         1.92286       18.90
19          -32.0900        10.7674
20                ∞          4.080         1.51633       64.14
21                ∞          0.745
像面（撮像面）
非球面データ
第３面
K=0
A4=3.3370E-6
A6=2.0165E-8
A8=-1.0212E-9
A10=5.4041E-12
A12=-8.9913E-15
第４面
K=-1.4987
A4=1.9557E-5
A6=2.3806E-8
A8=-2.9483E-9
A10=1.8044E-11
A12=-3.8073E-14
第９面
K=-0.3907
A4=-6.9351E-6
A6=-5.4996E-8
A8=1.7195E-9
A10=0
A12=0
第１０面
K=-1.7574
A4= 4.1334E-5
A6=-1.3416E-7
A8=1.8990E-9
A10=0
A12=0
第１６面
K=202.728
A4=1.7522E-4
A6=-1.6346E-5
A8=9.6613E-7
A10=-2.8814E-8
A12=3.2583E-10
第１７面
K=3.6836
A4=1.5822E-4
A6=-1.7050E-5
A8=9.1924E-7
A10=-2.5812E-8
A12=2.7439E-10
各種データ１
ＷＥ          ＳＴ           ＴＥ
焦点距離       12.242        24.488         48.955
Ｆno．           3.57          4.79           6.43
２ω（°）      89.78         47.93          24.47
無限
d6             5.5737        6.8731         5.6229
d8            31.0492       13.9977         1.5000
d15            2.0000        4.8188        17.3305
d17           10.2852       23.2185        24.4548
0.35m
d6             4.2635        5.5889         4.3137
d8            32.3594       15.2819         2.8092
d15            2.0000        4.8188        17.3305
d17           10.2852       23.2185        24.4548
各種データ２
像高           10.815
BF              14.20
全長           101.55
ｆ１          -68.837
ｆ２          -39.366
ｆ３           18.595
ｆ４          -28.693
ｆ５           53.562
【０１１４】
［数値実施例４］
面番号            ｒ             ｄ            ｎｄ        νｄ
1            37.6738          1.600         1.80400       46.57
2            16.0249          6.690
3*          150.0000          1.500         1.58313       59.38
4*           16.4876          4.200
5            27.0347          3.500         1.84666       23.78
6                 ∞      d6（可変）
7           -28.3216          0.800         1.77250       49.60
8          -200.0000      d8（可変）
9*           15.7232          3.000         1.74400       44.78
10         -490.3068          1.500
11（絞り）        ∞          1.000
12           16.3360          3.820         1.49700       81.54
13          -23.2523          0.800         1.91082       35.25
14           12.1999          0.490
15*          12.0007          3.150         1.49700       81.54
16*         -17.4719     d16（可変）
17*        -444.8035          0.800         1.69350       53.21
18*          17.5046     d18（可変）
19         -145.7109          2.250         1.92286       18.90
20          -36.6904        10.5000
21                ∞          4.080         1.51633       64.14
22                ∞          0.745
像面（撮像面）
非球面データ
第３面
K=-679.7185
A4=6.7199E-5
A6=-3.9402E-7
A8=5.5522E-10
A10=4.5495E-12
A12=-1.5151E-14
第４面
K=-4.9637
A4=1.4532E-4
A6=-7.1863E-7
A8=-1.1122E-9
A10=2.7613E-11
A12=-8.8580E-14
第９面
K=0
A4=-6.9472E-6
A6=8.8043E-8
A8=-3.7014E-9
A10=2.8810E-11
A12=0
第１５面
K=1.6031
A4=-2.4760E-4
A6=-8.2791E-7
A8=-1.4252E-7
A10=5.7952E-9
A12=-1.0305E-10
第１６面
K=-3.6250
A4=-5.7091E-5
A6=5.7708E-7
A8=-9.7804E-8
A10=4.4932E-9
A12=-7.3015E-11
第１７面
K=766.4831
A4=1.0404E-4
A6=-1.1629E-5
A8=8.0316E-7
A10=-2.5502E-8
A12=2.6928E-10
第１８面
K=4.2550
A4=3.8276E-5
A6=-1.4085E-5
A8=8.4925E-7
A10=-2.6804E-8
A12=2.7703E-10
各種データ１
ＷＥ          ＳＴ           ＴＥ
焦点距離       12.241        24.485         48.979
Ｆno．           3.57          5.91           6.43
２ω（°）      90.00         48.02          24.46
無限
d6             5.7000        6.5000         5.2883
d8            30.2393       13.6393         1.3000
d16            2.0000        4.5383        14.8313
d18           11.1446       24.4063        27.6642
0.35m
d6             4.4099        5.2297         3.9879
d8            31.5294       14.9096         2.6004
d16            2.0000        4.5383        14.8313
d18           11.1446       24.4063        27.6642
各種データ２
像高           10.815
BF              13.93
全長            98.12
ｆ１          -51.136
ｆ２          -42.797
ｆ３           17.819
ｆ４          -24.268
ｆ５           52.616
【０１１５】
［数値実施例５］
面番号            ｒ             ｄ            ｎｄ        νｄ
1            28.8842          1.500         1.77250       49.60
2            15.5188          8.000
3*          100.0000          1.500         1.58313       59.38
4*           14.4535          4.340
5            23.7733          4.500         1.84666       23.78
6           188.0989      d6（可変）
7           -30.9233          0.800         1.83481       42.71
8           233.9180          1.500         1.84666       23.78
9          -310.2906      d9（可変）
10*          15.7662          3.570         1.69350       53.21
11*         -49.3865          1.500
12（絞り）        ∞          1.000
13           42.8599          2.580         1.48749       70.23
14          424.6663          0.800         1.90366       31.32
15           10.4753          3.900         1.48749       70.23
16          -20.1406     d16（可変）
17*        -262.4056          0.800         1.69350       53.21
18*          20.4782     d18（可変）
19         -125.3414          3.000         1.92286       18.90
20          -34.4440     d20（可変）
21                ∞          4.080         1.51633       64.14
22                ∞          0.745
像面（撮像面）
非球面データ
第３面
K=32.2556
A4=4.0016E-5
A6=-3.4885E-7
A8=5.8864E-10
A10=2.4294E-12
A12=-8.0532E-15
第４面
K=-0.7597
A4=3.5415E-5
A6=-2.7107E-7
A8=-2.8882E-9
A10=2.7390E-11
A12=-6.8676E-14
第１０面
K=-0.4685
A4=-7.0899E-6
A6=7.3547E-8
A8=3.4418E-10
A10=4.2625E-12
A12=0
第１１面
K=-1.1167
A4=4.1136E-5
A6=3.8178E-9
A8=-1.2688E-10
A10=8.8706E-12
A12=0
第１７面
K=553.4829
A4=2.1089E-4
A6=-1.5222E-5
A8=8.5645E-7
A10=-2.6209E-8
A12=3.0811E-10
第１８面
K=4.8168
A4=1.6472E-4
A6=-1.6077E-5
A8=8.1995E-7
A10=-2.3975E-8
A12=2.6635E-10
各種データ１
ＷＥ          ＳＴ           ＴＥ
焦点距離       12.242        24.478         48.982
Ｆno．           3.57          4.79           6.43
２ω（°）      89.73         47.81          24.46
無限
d6             5.4462        7.2650         5.6269
d9            30.9699       13.5860         1.4422
d16            2.0000        5.5238        17.4737
d18            9.9696       23.3058        25.8429
d20           12.5000       11.2051        10.5000
0.35m
d6             4.0698        5.9338         4.2551
d9            32.3463       14.9172         2.8140
d16            2.0000        5.5238        17.4737
d18            9.9696       23.3058        25.8429
d20           12.5000       11.2051        10.5000
各種データ２
像高           10.815
BF              15.94
全長           103.61
ｆ１          -56.583
ｆ２          -41.452
ｆ３           18.600
ｆ４          -27.359
ｆ５           50.664
【０１１６】
図６、図８、図１０、図１２、図１４は、実施例１〜実施例５における（ａ）広角端（ＷＥ）、（ｂ）中間（ＳＴ）、（ｃ）望遠端（ＴＥ）での無限物点における諸収差図である。また、図７、図９、図１１、図１３、図１５は、実施例１〜実施例５における（ａ）広角端（ＷＥ）、（ｂ）中間（ＳＴ）、（ｃ）望遠端（ＴＥ）での撮影距離０．３５ｍにおける諸収差図である。
【０１１７】
これら諸収差図において、ＳＡは球面収差、ＡＳは非点収差、ＤＴは歪曲収差、ＣＣは倍率色収差を示す。球面収差ＳＡは、５８７．６ｎｍ（ｄ線：実線）、４３５．８ｎｍ（ｇ線：破線）、６５６．３ｎｍ（Ｃ線：点線）の各波長について示されている。また、倍率色収差ＣＣは、ｄ線を基準としたときの４３５．８ｎｍ（ｇ線：破線）、６５６．３ｎｍ（Ｃ線：点線）の各波長について示されている。また、非点収差ＤＴは、実線がサジタル像面、破線がメリジオナル像面のものを示している。なお、ＦＮＯはＦナンバーを、ＦＩＹは最大像高を示す。
【０１１８】
なお、各実施例にて、広角側におけるたる型の歪曲収差は、信号処理により電気的に補正するようにしてもよい。再生、記録画像にて歪曲収差量が０となるように歪曲収差を完全に補正してもよい。再生、記録画像の周辺にて歪曲収差が−３パーセント程残るようにたる型の歪曲収差を電気的に補正してもよい。
【０１１９】
上記実施例１〜実施例５について、各条件式（１）〜（１５）の値を下記に示しておく。
【０１２０】
実施例１     実施例２     実施例３     実施例４     実施例５
条件式（１）        1.28         1.09         1.16         1.35          1.30
条件式（２）        2.36         2.39         2.41         2.40          2.40
条件式（３）        1.28         1.09         1.16         1.35          1.13
条件式（４）        0.00         0.00         0.00         0.00         -0.16
条件式（５）       -3.19        -3.67        -3.22        -3.50         -3.39
条件式（６）       -0.62        -0.60        -0.97        -0.75         -0.82
条件式（７）     1.78800      1.74100      1.80400      1.77250       1.83481
条件式（８）        1.05         0.94         0.94         1.15          0.95
条件式（９）       81.54        81.54        70.23        81.61         70.23
条件式（１０）   1.91082      1.83400      1.90366      1.91082       1.90366
条件式（１１）     35.25        37.16        31.32        35.25         31.32
条件式（１２）      0.77         0.79         1.09         1.08          1.17
条件式（１３）   1.77250      1.83481      1.69350      1.69350       1.69350
条件式（１４）     49.60        42.71        53.21        53.21         53.21
条件式（１５）     26.29        25.05        18.90        18.90         18.90
【０１２１】
図１６は、本発明のズームレンズを用い、撮像素子として小型のＣＣＤ又はＣＭＯＳなどを用いた撮像装置としての一眼ミラーレスカメラの断面図である。図１６において、１は一眼ミラーレスカメラ、２は鏡筒内に配置された撮像レンズ系、３は撮像レンズ系２を一眼ミラーレスカメラ１に着脱可能とする鏡筒のマウント部であり、スクリュータイプやバヨネットタイプ等のマウントが用いられる。この例では、バヨネットタイプのマウントを使用している。また、４は撮像素子面、５はバックモニタである。なお、本実施形態において、撮像素子４、カバーガラス（平行平板）Ｃは、一眼ミラーレスカメラ１側に内蔵される。
【０１２２】
このような構成の一眼ミラーレスカメラ１の撮像レンズ系２として、例えば上記実施例１〜５に示した本発明のズームレンズが用いられる。
【０１２３】
図１７、図１８は、ズームレンズを撮影光学系４１に組み込んだ、本発明に係る撮像装置の構成の概念図を示す。図１７は撮像装置としてのデジタルカメラ４０の外観を示す前方斜視図、図１８は同背面斜視図である。
【０１２４】
この実施形態のデジタルカメラ４０は、撮影用光路４２上に位置する撮影光学系４１、シャッターボタン４５、液晶表示モニタ４７等を含み、デジタルカメラ４０の上部に配置されたシャッターボタン４５を押圧すると、それに連動して撮影光学系４１、例えば実施例１のズームレンズを通して撮影が行われる。撮影光学系４１によって形成された物体像が結像面近傍に設けられた撮像素子（光電変換面）上に形成される。この撮像素子で受光された物体像は、処理手段によって電子画像としてカメラ背面に設けられた液晶表示モニタ４７に表示される。また、撮影された電子画像は記録手段に記録することができる。
【０１２５】
図１９は、デジタルカメラ４０の主要部の内部回路を示すブロック図である。なお、以下の説明では、前述した処理手段５１は、例えば、ＣＤＳ／ＡＤＣ部２４、一時記憶メモリ１７、画像処理部１８等で構成され、記憶手段５２は、記憶媒体部等で構成される。
【０１２６】
図１９に示されるように、デジタルカメラ４０は、操作部１２と、この操作部１２に接続された制御部１３と、この制御部１３の制御信号出力ポートにバス１４及び１５を介して接続された撮像駆動回路１６並びに一時記憶メモリ１７、画像処理部１８、記憶媒体部１９、表示部２０、及び設定情報記憶メモリ部２１を備えている。
【０１２７】
上記の一時記憶メモリ１７、画像処理部１８、記憶媒体部１９、表示部２０、及び設定情報記憶メモリ部２１は、バス２２を介して相互にデータの入力、出力が可能とされている。また、撮像駆動回路１６には、ＣＣＤ４９とＣＤＳ／ＡＤＣ部２４が接続されている。
【０１２８】
操作部１２は、各種の入力ボタンやスイッチを備え、これらを介して外部（カメラ使用者）から入力されるイベント情報を制御部に通知する。制御部１３は、例えばＣＰＵなどからなる中央演算処理装置であって、不図示のプログラムメモリを内蔵し、プログラムメ
モリに格納されているプログラムに従って、デジタルカメラ４０全体を制御する。
【０１２９】
ＣＣＤ４９は、撮像駆動回路１６により駆動制御され、撮像光学系４１を介して形成された物体像の画素ごとの光量を電気信号に変換し、ＣＤＳ／ＡＤＣ部２４に出力する撮像素子である。
【０１３０】
ＣＤＳ／ＡＤＣ部２４は、ＣＣＤ４９から入力される電気信号を増幅し、かつ、アナログ／デジタル変換を行って、この増幅とデジタル変換を行っただけの映像生データ（ベイヤーデータ、以下ＲＡＷデータという。）を一時メモリ１７に出力する回路である。
【０１３１】
一時記憶メモリ１７は、例えばＳＤＲＡＭ等からなるバッファであり、ＣＤＳ／ＡＤＣ部２４から出力されるＲＡＷデータを一時的に記憶するメモリ装置である。画像処理部１８は、一時記憶メモリ１７に記憶されたＲＡＷデータ又は記憶媒体部１９に記憶されているＲＡＷデータを読み出して、制御部１３にて指定された画質パラメータに基づいて歪曲収差補正を含む各種画像処理を電気的に行う回路である。
【０１３２】
記憶媒体部１９は、例えばフラッシュメモリ等からなるカード型又はスティック型の記憶媒体を着脱自在に装着して、これらのフラッシュメモリに、一時記憶メモリ１７から転送されるＲＡＷデータや画像処理部１８で画像処理された画像データを記録して保持する。
【０１３３】
表示部２０は、液晶表示モニタ４７などにて構成され、撮影したＲＡＷデータ、画像データや操作メニューなどを表示する。設定情報記憶メモリ部２１には、予め各種の画質パラメータが格納されているＲＯＭ部と、操作部１２の入力操作によってＲＯＭ部から読み出された画質パラメータを記憶するＲＡＭ部が備えられている。
【０１３４】
このように構成されたデジタルカメラ４０は、撮像光学系４１として本発明のズームレンズを採用することで、ズーミング時とフォーカシング時に全長が一定のインナーズーム、インナーフォーカス方式としつつ、光学性能や変倍比の確保にも有利な撮像装置とすることが可能となる。
【０１３５】
以上、本発明の種々の実施形態について説明したが、本発明はこれらの実施形態のみに限られるものではなく、それぞれの実施形態の構成を適宜組み合わせて構成した実施形態も本発明の範疇となるものである。
【符号の説明】
【０１３６】
１…レンズ交換式カメラ
２…撮像レンズ系
３…マウント部
４…撮像素子面
５…バックモニタ
１２…操作部
１３…制御部
１４、１５…バス
１６…撮像駆動回路
１７…一時記憶メモリ
１８…画像処理部
１９…記憶媒体部
２０…表示部
２１…設定情報記憶メモリ部
２２…バス
２４…ＣＤＳ／ＡＤＣ部
４０…デジタルカメラ
４１…撮影光学系
４２…撮影用光路
４５…シャッターボタン
４７…液晶表示モニタ
【図１】
0005659036.tif 000002
【図２】
0005659036.tif 000003
【図３】
0005659036.tif 000004
【図４】
0005659036.tif 000005
【図５】
0005659036.tif 000006
【図６】
0005659036.tif 000007
【図７】
0005659036.tif 000008
【図８】
0005659036.tif 000009
【図９】
0005659036.tif 000010
【図１０】
0005659036.tif 000011
【図１１】
0005659036.tif 000012
【図１２】
0005659036.tif 000013
【図１３】
0005659036.tif 000014
【図１４】
0005659036.tif 000015
【図１５】
0005659036.tif 000016
【図１６】
0005659036.tif 000017
【図１７】
0005659036.tif 000018
【図１８】
0005659036.tif 000019
【図１９】
0005659036.tif 000020